(57)【特許請求の範囲】
【請求項１】
所定の計測装置が計測し表示した計測データを解析し、その解析結果を所定の処理装置へ出力する表示データ解析装置であって、
画像を撮像する撮像手段と、
前記計測装置が表示した計測データを検出するための検出補助情報として前記計測装置に貼られる指標を利用して、前記撮像手段によって撮像された画像のなかの前記計測装置が表示した計測データを検出する検出手段と、
前記検出手段によって前記計測データが検出された場合、前記計測装置が表示した計測データを解析するための解析補助情報を利用して、前記撮像手段によって撮像された計測データを解析する解析手段と、
前記解析手段によって解析された解析結果を出力する出力手段とを備えた
ことを特徴とする表示データ解析装置。
【請求項２】
前記解析補助情報は、前記計測装置に貼られる指標と、その指標に関するデータベースとを含むことを特徴とする請求項１に記載の表示データ解析装置。
【請求項３】
前記指標は、前記計測装置の計測データの表示部の外周部に隣接するように貼られることを特徴とする請求項２に記載の表示データ解析装置。
【請求項４】
前記指標は、Ｌ字型、もしくはＬ字型の回転形であることを特徴とする請求項２に記載の表示データ解析装置。
【請求項５】
前記指標は、複数の色を有し、もしくはモノクロの場合は複数の濃度を有していることを特徴とする請求項２に記載の表示データ解析装置。
【請求項６】
所定の計測装置が計測し表示した計測データを解析し、その解析結果を所定の処理装置へ出力する表示データ解析装置であって、
画像を撮像する撮像手段と、
前記計測装置が表示した計測データを検出するための検出補助情報として前記計測装置の計測データの表示部の色および／または反射率に関する色／反射率情報と、その色／反射率情報に関するデータベースを利用して、前記撮像手段によって撮像された画像のなかの前記計測装置が表示した計測データを検出する検出手段と、
前記検出手段によって前記計測データが検出された場合、前記計測装置が表示した計測データを解析するための解析補助情報を利用して、前記撮像手段によって撮像された計測データを解析する解析手段と、
前記解析手段によって解析された解析結果を出力する出力手段とを備えた
ことを特徴とする表示データ解析装置。
【請求項７】
前記解析補助情報を記憶している記憶手段を備えたことを特徴とする請求項１又は６に記載の表示データ解析装置。
【請求項８】
前記計測装置は生体情報を計測するバイタルセンサであり、前記計測データはそのバイタルセンサの表示データであり、前記処理装置はバイタルサインボックスであることを特徴とする請求項１又は６に記載の表示データ解析装置。
【請求項９】
請求項１〜８の何れかに記載の本発明の、前記計測装置が表示した計測データを検出する検出手段と、前記撮像手段によって撮像された計測データを解析する解析手段としてコンピュータを機能させるためのプログラムを担持した記録媒体。
【請求項１０】
請求項１〜８の何れかに記載の本発明の、前記計測装置が表示した計測データを検出する検出手段と、前記撮像手段によって撮像された計測データを解析する解析手段としてコンピュータを機能させるためのプログラム。
【発明の詳細な説明】
【０００１】
【発明の属する技術分野】
本発明は、健康チェックを行なう各種計測器を備えた電子健康モニター端末装置等に用いられる、  データ入力装置や計測データを解析する表示データ解析装置に関する。
【０００２】
【従来の技術】
図１７は従来の電子健康モニター端末装置のブロック図である。電子健康モニター端末装置はユーザーの健康に関する様々なデータを収集するための端末装置である。ユーザーの健康状態をチェックするためには様々なデータが必要で、電子健康モニター端末装置は多種多様な計測器を備え、その出力方式も雑多である。このため、端末本体側では様々なデータ入力のためのインターフェースを用意している。
【０００３】
図１７では、血圧計２０１、体温計２０２、尿検査機器２０３、歩数計２０４、体重計２０５、体脂肪計２０６、心電計２０７があって、端末本体２０８中のデータ収集装置２０９は、それらの出力データを収集するために赤外線受光部２１０、シリアルＩ／Ｆ２１１、キーボード２１２、光通信Ｉ／Ｆ２１３を備える。
【０００４】
血圧計２０１  は赤外線にて端末本体２０８と接続されている。体温計２０２  はシリアルケーブルで端末本体２０８と接続されている。心電計２０７は光ケーブルによって端末本体２０８と接続されている。
【０００５】
ユーザーはそれぞれの測定器を使って自身の健康状態を計測する。
【０００６】
血圧を測定した後は、赤外線通信にてデータを入力する。体温を測定した後は、シリアル通信にてデータを入力する。尿糖、歩数、体重、体脂肪を測定した後は、ユーザー自身がそのデータ表示部からデータを読みとって、キーボード２１２から入力する。心電計は光通信ケーブルによって、コンピューターシステム本体と接続されているので、計測データは随時コンピューターシステムに送信される。
【０００７】
このように、端末本体は、赤外線通信、シリアル通信、光通信、手入力によって、データの入力を受け付ける。
【０００８】
【発明が解決しようとする課題】
しかしながら、従来技術による電子健康モニターは、以下に示すような課題がある。
【０００９】
第１に、計測器とコンピューターシステムの両方で通信のためのハードウェアを備えることによるコスト高である。
【００１０】
計測器とコンピューターシステム間で赤外線、光、シリアル通信する場合、それぞれ両端に通信のためのハードウェアが必要である。特に計測器の場合、汎用品にはそういった通信装置がついていないのが当たり前で、通信のためのハードウェアの追加は、多大なコスト高になることが容易に想像できる。
【００１１】
第２には、キーボードそのものの誤入力の可能性である。
キーボードの扱いにはユーザー側の慣れも必要で、好みの問題でもあるので、万人受けする入力装置ではない。特に視覚障害者は使えない。また、測定データをユーザーが目で読み取ってキーボード入力する場合には、人間が介在するので必ず入力ミスが付きまとう。
【００１２】
第３には、計測器と端末本体とをケーブルで接続することによる取り回しのし難さである。ケーブル接続の場合には、使用中、あるいはそうでないときにでもケーブルが邪魔になるし、長さ自体が有限である以上、端末とユーザーは一定の距離にいる必要があって、配置等の点で不利である。
【００１３】
本発明は、これらの従来の課題を鑑みて、操作の容易で簡単な構造の表示データ解析装置等を提供することを目的とする。
【００１４】
【課題を解決するための手段】
本発明は、所定の計測装置が計測し表示した計測データを解析し、その解析結果を所定の処理装置へ出力する表示データ解析装置であって、
画像を撮像する撮像手段と、
前記計測装置が表示した計測データを検出するための検出補助情報として前記計測装置に貼られる指標を利用して、前記撮像手段によって撮像された画像のなかの前記計測装置が表示した計測データを検出する検出手段と、
前記検出手段によって前記計測データが検出された場合、前記計測装置が表示した計測データを解析するための解析補助情報を利用して、前記撮像手段によって撮像された計測データを解析する解析手段と、
前記解析手段によって解析された解析結果を出力する出力手段とを備えた
ことを特徴とする表示データ解析装置である。
【００１５】
この構成により、本発明は、計測データが表示される部分を容易に検出できるという作用効果を発揮する。
【００１６】
また、本発明は、所定の計測装置が計測し表示した計測データを解析し、その解析結果を所定の処理装置へ出力する表示データ解析装置であって、
画像を撮像する撮像手段と、
前記計測装置が表示した計測データを検出するための検出補助情報として前記計測装置の計測データの表示部の色および／または反射率に関する色／反射率情報と、その色／反射率情報に関するデータベースを利用して、前記撮像手段によって撮像された画像のなかの前記計測装置が表示した計測データを検出する検出手段と、
前記検出手段によって前記計測データが検出された場合、前記計測装置が表示した計測データを解析するための解析補助情報を利用して、前記撮像手段によって撮像された計測データを解析する解析手段と、
前記解析手段によって解析された解析結果を出力する出力手段とを備えた
ことを特徴とする表示データ解析装置である。
【００１７】
この構成により、本発明は、計測データが表示される部分を容易に検出できるという作用効果を発揮する。
【００１８】
本発明の表示データ解析装置によれば、ＲＳ−２３２Ｃ等の特別なインタフェースを計測装置側で用意することなくデータを計測装置側からホスト側に受渡しが可能となる。
【００１９】
【発明の実施の形態】
以下、本発明および本発明に関連する発明の各実施の形態について、図１〜図１６を用いて説明する。
【００２０】
（実施の形態１）
図１は本発明のデータ入力装置の一実施の形態としての電子健康モニター端末装置に対応するブロック図である。
【００２１】
端末装置は、計測器１０１〜１０６、データ収集装置１０８を含む。計測器１０１〜１０６は、血圧計１０１、体温計１０２、尿検査機器１０３、歩数計１０４、体重計１０５であり、それらによってユーザーの健康状態を計測する。
計測器１０１〜１０６はここに挙げられたもののほかに、体脂肪計、血糖値計など何であっても構わない。
【００２２】
データ収集装置１０８は、画像データを取り込む画像入力部１０９と取り込まれた画像データからオブジェクトを抽出しオブジェクトデータ１１２を出力する画像抽出部１１１と、そして、オブジェクトデータ１１２から画像データ中の計測器が何であるかを認識し、その計測器固有の計測器データ１１４を出力する画像認識部１１３を含む。
【００２３】
画像入力部１０９は例えばスキャナーのような機器類であって、画像データ１１０を生成することができる。
【００２４】
画像認識部１１３はオブジェクトデータ１１２中の色、形状から計測器を認識する形状認識が可能である。
【００２５】
以上の構成による電子健康モニター端末装置における計測器データの入力方法について説明する。
【００２６】
ユーザーは使用する計測器を一つ選択する。選択した計測器を画像入力部１０９で画像データとして入力する。取り込まれた画像データから、画像抽出部１１１は計測器のオブジェクトデータを抽出し、画像認識部１１２に出力する。本実施の形態ではオブジェクトは計測器の色、形といった形状である。
【００２７】
画像認識部１１１  は入力されたオブジェクトデータから、撮像した計測器が何の計測器であるかを認識し、その計測器データ１１４を出力する。
【００２８】
計測器データ１１４には、メーカー名、計測器の種類／名前、測定可能な項目、測定データの単位なども含まれる。
【００２９】
画像入力部１０９で画像データを生成する際には、計測器そのものから画像データを生成する必要はなく、計測器を写したスチル写真であっても構わない。
【００３０】
本実施の形態による電子健康モニター端末装置では、画像入力部１０９で計測器を画像データとして取り込み、画像データから画像中の計測器を認識することによって、計測器データを端末本体に入力する。
【００３１】
したがって、計測器１０１〜１０６と端末本体１０７の間で通信のためのインターフェース装置を必要としないので、ハードウェアを削減し、低コストで電子健康モニター端末装置を実現可能である。
【００３２】
同様に計測器側にも通信Ｉ／Ｆ  が不要であって、このため汎用品として売られている計測器を本モニター端末装置の計測器として応用可能である。
【００３３】
したがって、もしも計測器が壊れたり失われたりした場合でも、すぐに市販品で補充できるので、時間、コストの両面でメンテナンス費用が小さくなる。
【００３４】
さらに、ユーザーは計測器を画像入力部に画像データとして取り込ませるだけで、計測器データを入力できるので、非常に正確／簡便であり、あらゆる世代、種類の人が利用可能である。
【００３５】
（実施の形態２）
図２は、本発明の実施の形態２の電子健康モニター端末装置のブロック図である。実施の形態１で示したブロック図に比べ、画像撮像装置１１５が付加されている。
【００３６】
画像撮像部１１５はＣＣＤカメラのように画像データを連続的に出力可能な機器であって、画像入力部１０９はキャブチャーカードのように画像データを静止画として取り込むための機器である。その他の各部の動作・機能は実施の形態１と同等である。
【００３７】
以上の構成による電子健康モニター端末装置における計測器データの入力方法について説明する。
【００３８】
ユーザーは使用する計測器を一つ選択する。選択した計測器を画像撮像部１１５に写し、画像入力部１０９にて画像データ１１０として取り込む。取り込んだ画像データ１１０は、画像抽出部１１１にてオブジェクトデータ１１２を抽出し、画像認識部１１３に出力する。本実施の形態ではオブジェクトは計測器の色、形といった形状である。
【００３９】
画像認識部１１３  は入力されたオブジェクトデータ中の色、形状から何の計測器であるかを認識し、その計測器データ１１４を出力する。計測器データには、メーカー名、計測器の種類／名前、測定可能な項目、測定データの単位なども含まれる。
【００４０】
本実施の形態による電子健康モニター端末装置では、画像撮像部１１５で計測器を写して画像入力部１０９で画像データとして取り込み、画像データから画像中の計測器を認識することによって、計測器データを端末本体に入力する。
【００４１】
したがって、計測器１０１〜１０６と端末本体１０７の間で通信のためのインターフェース装置を必要としないので、ハードウェアを削減し、低コストで電子健康モニター端末装置を実現可能である。
【００４２】
同様に計測器側にも通信Ｉ／Ｆ  が不要であって、このため汎用品として売られている計測器を本モニター端末装置の計測器として応用可能である。
【００４３】
したがって、もしも計測器が壊れたり失われたりした場合でも、すぐに市販品で補充できるので、時間、コストの両面でメンテナンス費用が小さくなる。
【００４４】
さらに、ユーザーは計測器を画像入力部に画像データとして取り込ませるだけで、計測器データを入力できるので、非常に正確／簡便であり、あらゆる世代、種類の人が利用可能である。
【００４５】
また、撮像部１１５による計測器の映像を端末本体で視認しながら、入力部１０９で取り込めるので、より確実に画像データを取り込める。
【００４６】
（実施の形態３）
図３は実施の形態１に加えて、画像認識部１１３  にデータベース部１１６  を付加したものである。
【００４７】
データベース部１１６は計測器の形状データを蓄積でき、新たな計測器に関する形状データを追加できる。画像認識部１１３はデータベース部１１６を検索することで、より多種多様な計測器の認識が可能になる。各部の動作はデータベース部１１４を除いて実施の形態１と同様である。以下その動作について述べる。
【００４８】
ユーザーは使用する計測器を一つ選択する。選択した計測器を入力部１０９において画像データ１１０に変換する。画像データは画像抽出部１１１に入力され、画像データから計測器のオブジェクトデータを抽出し、画像認識部１１３に出力する。本実施の形態ではオブジェクトは計測器の色、形といった形状である。
【００４９】
画像認識部１１１  は入力されたオブジェクトデータをデータベース部１１４で検索し何の計測器であるかを認識し、その計測器データを出力する。計測器データに含まれるメンバーは、メーカー名、計測器の名前、測定可能な項目、測定データの単位などである。
【００５０】
本実施の形態による電子健康モニター端末装置では、新たな計測器を導入する場合、データベース部１１１にその画像データを登録することによりすぐに利用可能である。同様に使用中の計測器が壊れて、新規に購入した別な計測器を使う場合でも、別な計測器の形状データを登録すれば利用可能となる。このようにデータベース部１１１のメンテナンスによって、計測器の追加／変更が非常に容易である。
【００５１】
（実施の形態４）
実施の形態４では実施の形態１において、オブジェクトデータが計測器と１対１に対応させた記号である。記号は例えばバーコードであって、画像抽出部１１１  でバーコードを抽出して、画像認識部１１３  でバーコードを読み取り計測器データ１１４に変換する。
【００５２】
オブジェクトデータがバーコードのような記号であることによって、画像抽出部１１１、ならびに画像認識部１１３  の処理が単純化でき、より安価なハードウェアで処理が可能である。
【００５３】
（実施の形態５）
本実施の形態５は、実施の形態４と同様に実施の形態２において、オブジェクトデータが計測器と１対１に対応させた記号である。記号は例えばバーコードであって、画像抽出部１１１  でバーコードを抽出して、画像認識部１１３  でこれを読み取り、計測器データ１１４  に変換する。
【００５４】
実施の形態４と同様に、オブジェクトデータがバーコードのような記号であることによって、画像抽出部１１１、ならびに画像認識部１１３  の処理が単純化でき、より安価なハードウェアで処理が可能である。
【００５５】
（実施の形態６）
図４は、本発明のデータ入力装置の一実施の形態としての電子健康モニター端末装置のブロック図である。端末装置１０９は、計測器１０１〜１０６、データ収集装置１０８を含む。計測器は、血圧計１０１、体温計１０２、尿検査機器１０３、歩数計１０４、体重計１０５であり、それらによってユーザーの健康状態を計測する。計測器はここに挙げられたもののほかに、体脂肪計、血糖値計など何であっても構わない。
【００５６】
データ収集装置１０８は、画像データを取り込む画像入力部１０９と取り込まれた画像データからオブジェクトを抽出しオブジェクトデータ１１２を出力する画像抽出部１１１、そして、オブジェクトデータ１１２から画像データ中の数字が何であるかを認識し、その測定結果である測定データ１１８を出力する数字認識部１１３を含む。
【００５７】
画像入力部１０９は例えばスキャナーのような機器類であって、画像データ１１０を生成することができる。
【００５８】
画像抽出部１１１  は画像データ中のデジタルデータ表示部から数字を抽出し、オブジェクトデータとして出力する。数字認識部１１７  はオブジェクトデータ１１２  から、数字を認識し測定データとして出力する。
【００５９】
以上の構成による電子健康モニター端末装置における測定データの入力方法について説明する。
【００６０】
ユーザーは使用する計測器を一つ選択する。選択した計測器を使って自分の健康状態を測定する。測定終了後、デジタル表示部を画像入力部１０９  で画像データとして取り込む。画像抽出部１１１  は画像データ中のデジタル表示部内の数字を抽出する。その後、数字認識部１１７にて、抽出された数字を認識し、測定データ１１８
として出力する。
【００６１】
本実施の形態では、画像入力部１０９でデジタル表示部を画像データとして取り込み、画像データから数字を抽出し、認識して測定データを端末本体に入力する。
【００６２】
したがって、計測器１０１〜１０６と端末本体１０７の間で通信のためのインターフェース装置を必要としないので、ハードウェアを削減し、低コストで電子健康モニター端末装置を実現可能である。
【００６３】
同様に計測器側にも通信Ｉ／Ｆ  が不要であって、このため汎用品として売られている計測器を本モニター端末装置の計測器として応用可能である。
【００６４】
したがって、もしも計測器が壊れたり失われたりした場合でも、すぐに市販品で補充できるので、時間、コストの両面でメンテナンス費用が小さくなる。
【００６５】
さらに、ユーザーは計測器のデジタル表示部を画像データとして取り込ませるだけで、測定結果を入力できるので、非常に正確・簡便であり、あらゆる世代、種類の人が利用可能である。
【００６６】
（実施の形態７）
図５は本発明のデータ入力装置の一実施の形態としての電子健康モニター端末装置のブロック図である。
【００６７】
実施の形態６で示したブロック図に比べ、画像撮像装置１１５  が付加されている。画像撮像装置１１５  はＣＣＤカメラのように画像データを連続的に出力可能な機器であって、画像入力装置１０９  はキャプチャーカードのように画像データを静止画として取り込むための機器である。その他の各部の動作・機能は実施の形態６と同等である。
【００６８】
以上の構成による電子健康モニター端末装置における測定データの入力方法について説明する。
【００６９】
ユーザーは使用する計測器を一つ選択し、自分の健康状態を測定する。測定終了後、デジタル表示部を画像撮像部１１５で撮影し、画像入力部１０９で画像データを取り込む。画像データは計測器の測定結果を表示する数字を含む映像である。画像抽出部１１１  で数字を抽出し、数字認識部１１７  で認識し、測定データを端末装置に入力する。
【００７０】
本実施の形態による電子健康モニター端末装置では、実施の形態６で示した特徴に加え、画像データを撮像部１１５、入力部１０９によって取り込むので、画像を端末本体で目視しながら取り込むことが可能であって、より確実な画像データの取り込みが可能である。
【００７１】
（実施の形態８）
図６は本発明のデータ入力装置の一実施の形態としての電子健康モニターのブロック図である。端末装置１０９は、計測器１０１〜１０６、データ収集装置１０８を含む。計測器は、血圧計１０１、体温計１０２、尿検査機器１０３、歩数計１０４、体重計１０５であり、それらによってユーザーの健康状態を計測する。計測器はここに挙げられたもののほかに、体脂肪計、血糖値計など何であっても構わない。
【００７２】
データ収集装置１０８は、画像データを取り込む画像入力部１０９と取り込まれた画像データからオブジェクトを抽出しオブジェクトデータ１１２を出力する画像抽出部１１１、オブジェクトデータ１１２から画像データ中の数字が何であるかを認識し、その測定結果である測定データ１１８を出力する数字認識部１１３、オブジェクトデータ１１２  から画像データ中の計測器が何であるかを認識し、その測定器固有の計測器データ１１４  を出力する画像認識部を含む。
【００７３】
画像入力部１０９は例えばスキャナーのような機器類であって、画像データ１１０を生成することができる。画像抽出部１１１  は画像データ中の数字、記号、色、形状を抽出し、オブジェクトデータとして出力する。数字認識部１１７  はオブジェクトデータ１１２  から、数字を認識し測定データとして出力する。画像認識部１１３  はオブジェクトデータ１１２  から、計測器を認識し、計測器データを出力する。計測器データは、メーカー名、計測器の名前、計測可能なデータ、測定値の単位を含むデータである。
【００７４】
以上の構成による電子健康モニター端末装置における計測器データと測定データの入力方法について説明する。
【００７５】
ユーザーは使用する計測器を一つ選択し、自分の健康状態を測定する。測定終了後、デジタル表示部含む画像を画像入力部１０９  で画像データとして取り込む。画像データは計測器のデジタル表示部を中心とした映像であって、測定結果としての数字、その単位、様々な記号／文字、表示部を含む。画像抽出部１１１  は画像データ１１０から数字、記号、文字、表示部の色、形状を抽出し、オブジェクトデータとして出力する。オブジェクトデータは、数字認識部１１７  と画像認識部１１３に入力される。
【００７６】
数字認識部１１７は数字を認識し、測定データ１１８を出力する。
【００７７】
画像認識部１１３では、文字、記号、形状、色といった情報から計測器が何であるかを認識し、計測器データ１１４  を出力する。すなわち、表示される計測数値の単位、計測器のメーカー名、計測器の形状、計測器の色、あるいは、計測器の型に対応させられているバーコード等のデータである。
【００７８】
本実施の形態では、画像入力部でデジタル表示部を含む映像を画像データとして取り込み、画像データから数字、文字、記号、色、形状を抽出し、認識して測定データ、計測器データを端末本体に入力する。なお、その数字読みとりの際、すでに読みとった上記計測器データ１１４を利用することも可能である。つまり、計測器データ１１４からそのメーカがわかり、それから数字のフォントがわかり、そのフォント情報を利用して、数字がより正確に読みとれる。
【００７９】
このように、計測器１０１〜１０６と端末本体１０７の間で通信のためのインターフェース装置を必要としないので、ハードウェアを削減し、低コストで電子健康モニター端末装置を実現可能である。
【００８０】
同様に計測器側にも通信Ｉ／Ｆ  が不要であって、このため汎用品として売られている計測器を本モニター端末装置の計測器として応用可能である。
【００８１】
したがって、もしも計測器が壊れたり失われたりした場合でも、すぐに市販品で補充できるので、時間、コストの両面でメンテナンス費用が小さくなる。
【００８２】
さらに、ユーザーは計測器のデジタル表示部を画像データとして取り込ませるだけで、測定結果を入力できるので、非常に正確・簡便であり、あらゆる世代、種類の人が利用可能である。
【００８３】
なお、前記数字認識部１１７及び／又は画像認識部１１３は、インタネットなどの通信回線で接続された他の装置（例えばホストサーバ）に設けてもかまわない。もっとも、接続コードなどの余分な部品は必要となる。
【００８４】
（実施の形態９）
図７は本発明のデータ入力装置の実施の形態にかかる電子健康モニター端末装置のブロック図である。
【００８５】
実施の形態８で示したブロック図に比べ、画像撮像装置１１５  が付加されている。画像撮像装置１１５  はＣＣＤカメラのように画像データを連続的に出力可能な機器であって、画像入力装置１０９  はキャプチャーカードのように画像データを静止画として取り込むための機器である。その他の各部の動作・機能は実施の形態８と同等である。
【００８６】
以上の構成による電子健康モニター端末装置における測定データの入力方法について説明する。
【００８７】
ユーザーは使用する計測器を一つ選択し、自分の健康状態を測定する。測定終了後、デジタル表示部を画像撮像部１１５  で撮影し、画像入力部１０９  で画像データを取り込む。画像データは計測器のデジタル表示部を中心とした映像であって、測定結果としての数字、その単位、様々な記号／文字、表示部を含む。
【００８８】
画像抽出部１１１  で数字、記号、文字、色、形状を抽出し、数字認識部１１７、画像認識部１１３に入力する。数字認識部１１７は数字を認識し、測定データ１１８を出力する。画像認識部１１３では、文字、記号、形状、色といった情報から計測器が何であるかを認識し、計測器データ１１４  を出力する。
【００８９】
本実施の形態による電子健康モニター端末装置では、実施の形態６で示した特徴に加え、画像データを撮像部１１５、入力部１０９によって取り込むので、画像を端末本体で目視しながら取り込むことが可能であって、より確実な画像データの取り込みが可能である。
【００９０】
（実施の形態１０）
図８は本発明のデータ入力装置の実施の形態の電子健康モニター端末装置のブロック図である。
【００９１】
実施の形態８で示したブロック図に比べ、画像認識部１１３にデータベース部１１６を付加している。データベース部１１６は計測器の形状データを蓄積でき、新たな計測器に関する形状データを追加できる。画像認識部１１３はデータベース部１１６を検索することで、より多種多様な計測器の認識が可能になる。各部の動作はデータベース部１１４を除いて実施の形態８と同様である。
【００９２】
以下その動作について述べる。
【００９３】
ユーザーは使用する計測器を一つ選択し、自分の健康状態を測定する。測定終了後、デジタル表示部含む画像を画像入力部１０９  で画像データとして取り込む。画像データは計測器のデジタル表示部を中心とした映像であって、測定結果としての数字、その単位、様々な記号／文字、表示部を含む。
【００９４】
画像抽出部１１１  は画像データ１１０から数字、記号、文字、表示部の色、形状を抽出し、オブジェクトデータとして出力する。オブジェクトデータは、数字認識部１１７  と画像認識部１１３に入力される。数字認識部１１７は数字を認識し、測定データ１１８を出力する。画像認識部１１３では、文字、記号、形状、色といった情報をデータベース部で検索し、計測器が何であるかを認識し、計測器データ１１４  を出力する。
【００９５】
本実施の形態による電子健康モニター端末装置では、新たな計測器を導入する場合、データベース部１１１にその画像データを登録することによりすぐに利用可能である。同様に使用中の計測器が壊れて、新規に購入した別な計測器を使う場合でも、別な計測器の形状データを登録すれば利用可能となる。
【００９６】
このようにデータベース部１１１のメンテナンスによって、計測器の追加／変更が非常に容易である。
【００９７】
（実施の形態１１）
実施の形態１１では、実施の形態８において、オブジェクトデータが計測器と１対１で対応させた記号であって、記号は例えばバーコードである。
【００９８】
画像抽出部１１１はバーコードと数字を抽出し、画像認識部１１３ではバーコードを計測器データに変換する。
【００９９】
オブジェクトデータがバーコードのような記号であることによって、画像抽出部１１１、ならびに画像認識部１１３  の処理が単純化でき、より安価なハードウェアで処理が可能である。
【０１００】
（実施の形態１２）
実施の形態１２では、実施の形態９において、オブジェクトデータが計測器と１対１で対応させた記号であって、記号は例えばバーコードである。画像抽出部１１１はバーコードと数字を抽出し、画像認識部１１３ではバーコードを計測器データに変換する。
【０１０１】
オブジェクトデータがバーコードのような記号であることによって、画像抽出部１１１、ならびに画像認識部１１３  の処理が単純化でき、より安価なハードウェアで処理が可能である。
【０１０２】
（実施の形態１３）
図９は本発明のデータ入力装置の実施の形態の電子健康モニター端末装置のブロック図である。
【０１０３】
端末装置１０９は、計測器１０１〜１０６、データ収集装置１０８を含む。計測器は、血圧計１０１、体温計１０２、尿検査機器１０３、歩数計１０４、体重計１０５であり、それらはユーザーの健康状態を計測して結果をアナログ表示する。
【０１０４】
計測器はここに挙げられたもののほかに、体脂肪計、血糖値計など何であっても構わない。
【０１０５】
データ収集装置１０８は、画像データを取り込む画像入力部１０９と取り込まれた画像データからオブジェクトを抽出しオブジェクトデータ１１２を出力する画像抽出部１１１、そして、オブジェクトデータ１１２から画像データ中でアナログ表示された測定結果を読み取り、測定データ１１８  を出力するアナログデータ読み取り部１１９を含む。画像入力部１０９は例えばスキャナーのような機器類であって、画像データ１１０を生成することができる。
【０１０６】
アナログデータ読み取り部１１９  は目盛りで表示されたデータを読み取り、測定データとして出力する。
【０１０７】
以上の構成による電子健康モニター端末装置における測定データの入力方法について説明する。
【０１０８】
ユーザーは使用する計測器を一つ選択する。選択した計測器を使って自分の健康状態を測定する。測定終了後、アナログ表示部を画像入力部１０９  で画像データとして取り込む。画像抽出部１１１  は画像データ中のアナログ表示部を抽出する。その後、アナログデータ読み取り部１１９にて、データを読み取り、測定データ１１８  として出力する。
【０１０９】
本実施の形態では、画像入力部でアナログ表示部を画像データとして取り込み、画像データから測定値を読み取り、測定データを端末本体に入力する。
【０１１０】
したがって、計測器１０１〜１０６と端末本体１０７の間で通信のためのインターフェース装置を必要としないので、ハードウェアを削減し、低コストで電子健康モニター端末装置を実現可能である。
【０１１１】
同様に計測器側にも通信Ｉ／Ｆ  が不要であって、このため汎用品として売られている計測器を本モニター端末装置の計測器として応用可能である。
【０１１２】
したがって、もしも計測器が壊れたり失われたりした場合でも、すぐに市販品で補充できるので、時間、コストの両面でメンテナンス費用が小さくなる。
【０１１３】
さらに、ユーザーは計測器のアナログ表示部を画像データとして取り込ませるだけで、測定結果を入力できるので、非常に正確・簡便であり、あらゆる世代、種類の人が利用可能である。
【０１１４】
（実施の形態１４）
図１０は本発明のデータ入力装置の実施の形態の電子健康モニター端末装置の一実施例を示すブロック図である。
【０１１５】
実施の形態１３で示したブロック図に比べ、画像撮像装置１１５  が付加されている。画像撮像装置１１５  はＣＣＤカメラのように画像データを連続的に出力可能な機器であって、画像入力装置１０９はキャプチャーカードのように画像データを静止画として取り込むための機器である。その他の各部の動作・機能は実施の形態１３と同等である。
【０１１６】
以上の構成による電子健康モニター端末装置における測定データの入力方法について説明する。
【０１１７】
ユーザーは使用する計測器を一つ選択し、自分の健康状態を測定する。測定終了後、アナログ表示部を画像撮像部１１５  で撮影し、画像入力部１０９  で画像データを取り込む。画像データは計測器の測定結果をアナログ表示する部分を含む映像である。画像抽出部１１１  でアナログ表示部を抽出し、アナログデータ読み取り部１１９  で読み取り、測定データを端末装置に入力する。
【０１１８】
本実施の形態による電子健康モニター端末装置では、実施の形態１３で示した特徴に加え、画像データが撮像部１１５によって取り込むので、画像を端末本体で目視しながら取り込むことが可能であって、より確実な画像データの取り込みが可能である。
【０１１９】
（実施の形態１５）
図１１は請求項１５記載の電子健康モニター端末装置の一実施例を示すブロック図である。
【０１２０】
端末装置１０９は、計測器１０１〜１０６、データ収集装置１０８を含む。計測器は、血圧計１０１、体温計１０２、尿検査機器１０３、歩数計１０４、体重計１０５であり、それらはユーザーの健康状態を計測して結果をアナログ表示する。計測器はここに挙げられたもののほかに、何であっても構わない。
【０１２１】
データ収集装置１０８は、画像データを取り込む画像入力部１０９と取り込まれた画像データからオブジェクトを抽出しオブジェクトデータ１１２を出力する画像抽出部１１１、そして、オブジェクトデータ１１２から画像データ中でアナログ表示された測定結果を読み取り、測定データ１１８  を出力するアナログデータ読み取り部１１９、オブジェクトデータ１１２から画像データ中の計測器を認識し、計測器データ１１４を出力する画像認識部１１３を含む。
【０１２２】
画像入力部１０９は例えばスキャナーのような機器類であって、画像データ１１０を生成することができる。アナログデータ読み取り部１１９  は目盛りで表示されたデータを読み取り、測定データとして出力する。画像認識部１１３  は計測器の色、形状を認識し、計測器データを出力する。
【０１２３】
以上の構成による電子健康モニター端末装置における測定データの入力方法について説明する。
【０１２４】
ユーザーは使用する計測器を一つ選択する。選択した計測器を使って自分の健康状態を測定する。測定終了後、アナログ表示部を含む画像を画像入力部１０９  で画像データとして取り込む。画像抽出部１１１  は画像データ中のアナログ表示部、全体の形状、色を抽出する。その後、アナログデータ読み取り部１１９にて、データを読み取り、測定データ１１８  として出力する。同時に抽出されたオブジェクトデータは画像認識部１１３  にも入力され、ここで色、形状から計測器を認識し、計測器データ１１３を出力する本実施の形態では、画像入力部でアナログ表示部を含む画像を画像データとして取り込み、画像データから測定値を読み取るのと、形状、色を認識するのとで、測定データと計測器データを端末本体に入力する。
【０１２５】
したがって、計測器１０１〜１０６と端末本体１０７の間で通信のためのインターフェース装置を必要としないので、ハードウェアを削減し、低コストで電子健康モニター端末装置を実現可能である。
【０１２６】
同様に計測器側にも通信Ｉ／Ｆ  が不要であって、このため汎用品として売られている計測器を本モニター端末装置の計測器として応用可能である。
【０１２７】
したがって、もしも計測器が壊れたり失われたりした場合でも、すぐに市販品で補充できるので、時間、コストの両面でメンテナンス費用が小さくなる。さらに、ユーザーは計測器のアナログ表示部を画像データとして取り込ませるだけで、測定結果を入力できるので、非常に正確・簡便であり、あらゆる世代、種類の人が利用可能である。
【０１２８】
（実施の形態１６）
図１２は本発明のデータ入力装置の実施の形態の電子健康モニター端末装置の一実施例を示すブロック図である。実施の形態１５で示したブロック図に比べ、画像撮像装置１１５  が付加されている。
【０１２９】
画像撮像装置１１５  はＣＣＤカメラのように画像データを連続的に出力可能な機器であって、画像入力装置１０９  はキャプチャーカードのように画像データを静止画として取り込むための機器である。その他の各部の動作・機能は実施の形態１３と同等である。
【０１３０】
以上の構成による電子健康モニター端末装置における測定データの入力方法について説明する。
【０１３１】
ユーザーは使用する計測器を一つ選択し、自分の健康状態を測定する。測定終了後、アナログ表示部を含む部分を画像撮像部１１５  で撮影し、画像入力部１０９  で画像データを取り込む。画像データは計測器の測定結果をアナログ表示する部分を含む映像である。画像抽出部１１１  でアナログ表示部、色、形状を抽出し、アナログデータ読み取り部１１９  と画像認識部１１３に入力する。アナログデータ読み取り部１１９では、アナログ表示部からデータを読み取り、測定データを端末装置に入力する。画像認識部１１３では、色、形状から計測器を認識して、計測器データを出力する。
【０１３２】
本実施の形態による電子健康モニター端末装置では、実施の形態１３で示した特徴に加え、画像データが撮像部１１５によって取り込むので、画像を端末本体で目視しながら取り込むことが可能であって、より確実な画像データの取り込みが可能である。
【０１３３】
（実施の形態１７）
図１３は本発明の実施の形態の電子健康モニター端末装置のブロック図である。実施の形態１５で示したブロック図に比べ、画像認識部１１３にデータベース部１１６を付加している。データベース部１１６は計測器の形状データを蓄積でき、新たな計測器に関する形状データを追加できる。画像認識部１１３はデータベース部１１６を検索することで、より多種多様な計測器の認識が可能になる。各部の動作はデータベース部１１４を除いて実施の形態１５と同様である。
【０１３４】
以下その動作について述べる。
【０１３５】
ユーザーは使用する計測器を一つ選択し、自分の健康状態を測定する。測定終了後、アナログ表示部を含む画像を画像入力部１０９  で画像データとして取り込む。画像データは計測器のデジタル表示部を中心とした映像であって、測定結果としての数字、その単位、様々な記号／文字、表示部を含む。
【０１３６】
画像抽出部１１１  は画像データ１１０からアナログ表示部、表示部の色、形状を抽出し、オブジェクトデータとして出力する。オブジェクトデータは、アナログデータ読み取り部１１９と画像認識部１１３に入力される。アナログデータ読み取り部１１９はアナログ表示部を読み取り、測定データ１１８を出力する。画像認識部１１３では、表示部の形状、色といった情報をデータベース部で検索し、計測器が何であるかを認識し、計測器データ１１４  を出力する。
【０１３７】
本実施の形態による電子健康モニター端末装置では、新たな計測器を導入する場合、データベース部１１１にその画像データを登録することによりすぐに利用可能である。同様に使用中の計測器が壊れて、新規に購入した別な計測器を使う場合でも、別な計測器の形状データを登録すれば利用可能となる。
【０１３８】
このようにデータベース部１１１のメンテナンスによって、計測器の追加／変更が非常に容易である。
【０１３９】
（実施の形態１８）
実施の形態１８は実施の形態１５でオブジェクトデータが色、形状ではなく計測器と１対１で対応させた記号であって、記号は例えばバーコードである。画像抽出部１１１はバーコードとアナログ表示部を抽出し、画像認識部１１３ではバーコードを認識して計測器データ１１４  を出力する。
【０１４０】
オブジェクトデータがバーコードのような記号であることによって、画像抽出部１１１、ならびに画像認識部１１３  の処理が単純化でき、より安価なハードウェアで処理が可能である。
【０１４１】
（実施の形態１９）
実施の形態１９は実施の形態１６でオブジェクトデータが色、形状ではなく計測器と１対１で対応させた記号であって、記号は例えばバーコードである。
【０１４２】
オブジェクトデータがバーコードのような記号であることによって、画像抽出部１１１、ならびに画像認識部１１３  の処理が単純化でき、より安価なハードウェアで処理が可能である。
【０１４３】
（実施の形態２０）
図１４は本発明のデータ入力システムの実施の形態の電子健康モニター端末装置である。
【０１４４】
端末装置は、画像撮像装置１２０と切り替え器１２１、データ収集装置１２２、テレビ電話装置１２３を含み、画像撮像装置１２０の出力する画像データが切り替え器１２１で切り替えられて、データ収集装置１２２、あるいはテレビ電話装置１２３  に入力される。
【０１４５】
ユーザーはその使用目的に合わせて切り替え器１２１の出力先を切り替える。計測器を使って健康状態を測定し、データ入力する際にはデータ収集装置１２２側へ、テレビ電話として遠隔地にいる第３者と会話する際にはテレビ電話装置１２３側へと切り替える。
【０１４６】
本実施の形態では、モード切り替えによって画像撮像装置１２０を共通に使用できるので、ローコストな端末装置を実現できる。
【０１４７】
（実施の形態２１）
図１５は本発明の一実施の形態の電子健康モニター端末装置の一実施例である。
【０１４８】
図１４の実施の形態２０で示したブロック図に比べ、テレビ電話装置１２３  が患部撮影装置（患部画像データ収集装置）１２４に代わっている。本実施の形態では、画像撮像装置１２０で撮影した画像データが切り替え器１２１で切り替えられて、データ収集装置１２２、あるいは患部撮影装置１２４に入力される。患部撮影装置１２４  はユーザーの患部を撮影する装置で、後にそれを利用して医者が診断を行う。
【０１４９】
ユーザーはその使用目的に合わせて切り替え器１２１の出力先を切り替える。計測器を使って健康状態を測定し、データ入力する際にはデータ収集装置１２２側へ、患部撮影して医者の診断を待つ際には患部撮影装置１２４側へと切り替える。
【０１５０】
本実施の形態では、モード切り替えによって画像撮像装置１２０を共通に使用できるので、ローコストな端末装置を実現できる。
【０１５１】
（実施の形態２２）
図１６は本発明の一実施の形態の電子健康モニター装置の一実施例である。図１４の実施の形態２０で示したブロック図に比べ、患部撮影装置１２４が付加され、切り替え器１２１  は入力された画像データの出力先を３つの内の一つから選択可能である。
【０１５２】
ユーザーは使用目的に合わせて、撮像装置１２０の出力先を切り替えるので、一つの装置を共有でき、ローコストな端末装置を実現可能である。
【０１５３】
次に、別の本発明の実施の形態を図面に基づいて説明する。
【０１５４】
図１８は、この本発明の一実施の形態の表示データ解析装置の概略構成図である。
【０１５５】
本実施の形態の表示データ解析装置１００１は、画像入力部３０１、画像解析装置３０４、解析結果出力部３０６から構成される。また、解析対象となる計測機器１は計測データ表示画面１３を含み、最終的に表示データ解析装置１００１で解析されるデータは計測データ表示画面１３に表示されている各データ（図１８の場合、１２８、６４、１００）である。
【０１５６】
画像入力部３０１で取得された計測機器１の画像は、画像解析装置３０４にて解析され、その結果が解析結果出力部３０６より出力される。なお、画像入力部３０１としては、ＣＣＤカメラ等の画像を撮像する手段を用いる。
【０１５７】
画像解析装置３０４は、図２５に示すように、画像認識部４０３を有し、画像解析装置３０４では、撮像された画像中から計測データ表示画面１３の部分を検出して切り出し、その画面１３内のデータ部分を抽出・認識することでデータを獲得する。
【０１５８】
ここで、計測機器１にマーカを貼付することで画像解析装置３０４での計測データ表示画面１３の検出精度を上げようと試みた計測機器１の構成図を図１９に示す。図１９では、マーカ２０を計測機器１の計測データ表示画面１３の外部上側と下側に貼付することで、画像中の計測機器１の計測データ表示画面１３の位置を検出し易くしている。この際の表示データ解析装置１００１の構成は図１８同一である。画像解析装置３０４の内部構成は図２６のようになる。この時の画像解析装置３０４はマーカ認識部４０１と画像認識部４０３とから構成される。図１９のマーカ２０を実際に検出・認識するのがマーカ認識部４０１であり、マーカ認識部４０１で得られた情報を元に画像認識部４０３が表示認識を行う。
【０１５９】
なお、マーカ認識部４０１は、例えば２つのマーカ２０に挟まれた部分が計測データ表示画面１３であるという、計測データ表示画面１３を検出するための検出補助情報を利用して、計測データ表示画面１３を検出することになる。その検出補助情報は、例えばマーカ認識部４０１に格納されている。また、マーカ２０には、貼り付けられる計測機器１の種別を特定するための情報、例えば色が付けられており、画像認識部４０３において、マーカ２０の色等の相違（計測機器１の種別を特定するための情報）に基づいて、マーカ２０が貼り付けられている計測機器１の種別が特定される。
【０１６０】
画像認識部４０３は、マーカ２０の色等の相違に基づいて、マーカ２０が貼り付けられている計測機器１の種別を特定する。図１９の例では、画像認識部４０３は、マーカ２０の色の相違に基づいて、マーカ２０が貼り付けられている計測機器１が血圧計であることを特定する。それとともに、画像認識部４０３は、計測データ表示画面１３内の数値の持つ意味を特定するための解析補助情報を利用して、計測データ表示画面１３内の数値を解析する。具体的に解析補助情報の一例を図１９を用いて説明すると、図１９における計測データ表示画面１３内の３つの数値１２８、６４、１００それぞれは、一番上の１２８が血圧の高い方の値であり、真ん中の６４が血圧の低い方の値であり、一番下の１００が心拍数であることを示す情報が解析補助情報である。なお、画像認識部４０３は、マーカ２０の貼付位置の相違や、マーカ２０の数の相違に基づいて、マーカ２０が貼り付けられている計測機器１の種別を特定してもよい。
【０１６１】
また、図２０では、コーナマーカ２１を計測データ表示画面１３の４隅の内の３隅に貼付することで、撮像された画像中での計測データ表示画面１３の検出を行い易くしている。この場合も表示データ解析装置１００１の構成は図１８と同一である。画像解析装置３０４の内部構成は図２６のようになる。この時の画像解析装置３０４はマーカ認識部４０１と画像認識部４０３とから構成される。図２０のコーナマーカ２１を実際に検出・認識するのがマーカ認識部４０１であり、マーカ認識部４０１で得られた情報を元に画像認識部４０３が表示認識を行う。それらマーカ認識部４０１や画像認識部４０３の機能は、図１９を用いて説明したそれぞれと同様であるが、画像認識部４０３は、コーナマーカ２１の貼付位置の相違や、貼付されているコーナマーカ２１の数の相違を利用して、コーナマーカ２１が貼り付けられている計測機器１の種別を特定することもできる。
【０１６２】
また、図２１では、Ｌ字型のＬマーカ２２を貼付することで、計測データ表示画面１３の検出をより行い易くしている。この場合も表示データ解析装置１００１の構成は図１８と同一である。画像解析装置３０４の内部構成は図２６のようになる。この時の画像解析装置３０４はマーカ認識部４０１と画像認識部４０３とから構成される。図２１のＬマーカ２２を実際に検出・認識するのがマーカ認識部４０１であり、マーカ認識部４０１で得られた情報を元に画像認識部４０３が表示認識を行う。
【０１６３】
更に、図２２では、複数の色もしくは、モノクロであれば複数の濃度を有しているカラーマーカ２３を貼付することで、計測データ表示画面１３の検出を容易にするだけでなく、マーカ自身の検出精度も上げている。この場合も表示データ解析装置１００１の構成は図１８と同一である。画像解析装置３０４の内部構成は図２６のようになる。この時の画像解析装置３０４はマーカ認識部４０１と画像認識部４０３とから構成される。図２２のカラーマーカ２３を実際に検出・認識するのがマーカ認識部４０１であり、マーカ認識部４０１で得られた情報を元に画像認識部４０３が表示認識を行う。
【０１６４】
また更に、図２３では、マーカを検出するための所定の記号が付加されたコードマーカ２４を計測機器１に貼付している。これにより、更にマーカの検出精度が向上する。この場合も表示データ解析装置１００１の構成は図１８と同一である。画像解析装置３０４の内部構成は図２６のようになる。この時の画像解析装置３０４はマーカ認識部４０１と画像認識部４０３とから構成される。図２３のカラーマーカ２３やコードマーカ２４を実際に検出・認識するのがマーカ認識部４０１であり、マーカ認識部４０１で得られた情報を元に画像認識部４０３が表示認識を行う。
【０１６５】
なお、画像解析装置３０４の内部構成は、図２６のようではなく、図２７のようであってもよい。この時の画像解析装置３０４はマーカ認識部４０１とコードマーカ情報認識部４０２と画像認識部４０３とから構成される。図２３のカラーマーカ２３やコードマーカ２４を実際に検出・認識するのがマーカ認識部４０１であり、コードマーカ２４に記された属性情報を検出・認識するのがコードマーカ情報認識部４０２である。マーカ認識部４０１及びコードマーカ情報認識部４０２で得られた情報を元に画像認識部４０３が表示認識を行う。
【０１６６】
ところで、コードマーカ２４に記された属性情報とは、例えばコードマーカ２４が貼り付けられる計測機器１の種別を特定するための情報や、計測データ表示画面１３内における数値等の表示の位置や表示される文字種の種類（数値のみ／英数字のみ／英字のみ／仮名のみ／、など）や、その各文字列が表す意味内容（上から最高血圧・最低血圧・脈拍数であるとか、平均体温である、など）や、各文字列が示す文字列種の限定情報（２〜３桁の数値と’Ｅｒｒ’のみ表示するとか、３０．０〜４２．０の数値のみ表示する、など）を意味する。
【０１６７】
もちろん、コードマーカ２４に記された属性情報は上記のいずれかの組み合わせでも良いし、また上記の情報に限られるものでもない。
【０１６８】
なお、上述した実施の形態では、画像解析装置３０４は、マーカ２０や、コーナマーカ２１や、Ｌマーカ２２や、カラーマーカ２３や、コードマーカ２４を用いて、計測機器１の計測データ表示画面１３を検出する例について述べたが、計測データ表示画面１３が７セグメント数字などを表示するＬＣＤ等の固定表示画面であって、計測データ表示画面１３の色や光の反射率が計測データ表示画面１３外部と異なる場合、画像解析装置３０４は、その色や反射率の相違を利用して計測データ表示画面１３を検出してもよい。そして、検出された計測データ表示画面１３の中の数値データ等を解析・認識してもよい。なお、この場合、検出補助情報は、計測データ表示画面１３の色や反射率に関する情報と、どの色や反射率の位置が計測データ表示画面１３を示すのかといったデータベースとから構成されることになる。
【０１６９】
また、画像解析装置３０４は、計測機器１の形状や配色状況を検出し、計測機器１の種別や計測データ表示画面１３の位置を特定して計測データ表示画面１３を検出するとしてもよい。この場合、検出補助情報は、計測機器１の形状や配色状況に関する情報と、どの形状や配色状況のときに計測データ表示画面１３がどこに位置しているのかを示すデータベースとから構成されることになる。
【０１７０】
なお、上述した実施の形態では、画像認識部４０３は、計測データ表示画面１３内の数値の持つ意味等を特定するための解析補助情報をどのようにして入力するのかといったことについては述べなかったが、以下に、画像認識部４０３が解析補助情報を入力する一つの例について図２８を用いて述べる。
【０１７１】
図２８に示すように、画像解析装置３０４は、画像認識部４０３と属性記憶部４０４から構成されており、画像入力部３０１より入力された計測機器１の画像を元に、画像認識部４０３は計測機器を特定し、その特定情報を元に対象としている計測機器の解析補助情報（属性データ）を属性記憶部４０４より取得する。属性記憶部４０４は画像認識部４０３より照会された計測機器情報に対応する属性データを画像認識部４０３に提供する。画像認識部４０３は提供された属性データを元に、入力された画像の計測データ表示画面及びその内部に記されたデータを解析・認識する。なお、請求項７に記載の記憶手段の一例が属性記憶部４０４である。
【０１７２】
次に、カラーマーカ２３やコードマーカ２４を用いて、計測機器１の計測データ表示画面１３を検出し、その計測データを解析する表示データ解析装置１００１の構成を図２４に示す。ただし、計測機器１に貼付した各種マーカの種類・形状・位置等はこの限りではなく、ここでは一例として示している。表示データ解析装置１００１の画像解析装置３０４の内部構成は図１２のようになる。この時の画像解析装置３０４はマーカ認識部４０１とコードマーカ情報認識部４０２と画像認識部４０３と属性記憶部４０４から構成される。
【０１７３】
図２４のカラーマーカ２３やコードマーカ２４を実際に検出・認識するのがマーカ認識部４０１であり、コードマーカ２４に記された属性情報を検出・認識するのがコードマーカ情報認識部４０２である。コードマーカ情報認識部４０２では計測機器を特定し、その特定情報を元に対象としている計測機器の属性データを属性記憶部４０４より取得する。属性記憶部４０４はコードマーカ情報認識部４０２より照会された計測機器情報に対応する属性データを画像認識部４０３に提供する。画像認識部４０３は提供された属性データを元に、入力された画像の計測データ表示画面１３及びその内部に記されたデータを解析・認識する。
【０１７４】
ここで、コードマーカ２４に記載される情報の形式の例を図３１に示す。ここではＬ字型マーカをベースとした黄色と黒のマーカ部分と白黒のバーコード調の情報部分から成る、コードマーカの例を示している。図３１中に示されているサイズ（数値）は全て、比で示されている。記載データはｄａｔａ  ｒｅｇｉｏｎの５本の帯の範囲に、白もしくは黒のバーで記される。
【０１７５】
もちろん、コードマーカ２４の構成法はこの限りでなく、任意の構成法を選択できる。
【０１７６】
ところで、コードマーカ２４の記号には何らかの手法で符号化された属性データが記載される。この符号化方法には、例えば、いわゆるバーコードやＱＲコード等を用いることが出来るが、これらに限定されることはなく任意の方法を用いることが出来る。このように、記号に属性データを付加することで、更にマーカの検出精度が向上する。この場合も表示データ解析装置１００１の構成は図１８と同一である。画像解析装置３０４の内部構成は図２７のようになる。この時の画像解析装置３０４はマーカ認識部４０１とコードマーカ情報認識部４０２と画像認識部４０３とから構成される。属性データが付加されたコードマーカ２４はマーカ認識部４０１で検出され、その属性データはコードマーカ情報認識部４０２で実際に検出・認識・復号される。コードマーカ情報認識部４０２での復号手段は、先に符号化された手段に対応するものである。
【０１７７】
このように、コードマーカ情報認識部４０２では、この属性データが記載された所定の記号を撮像した画像を、解析・復号・認識することによって符号化されていた属性データを獲得する。画像認識部４０３は獲得した属性データを元に、入力された画像の計測データ表示画面及びその内部に記されたデータを解析・認識する。
【０１７８】
なお、図２４ではコードマーカ２４とカラーマーカ２３を一つずつ計測機器１に貼付した例を示しているが、マーカの種類や数は前述のようにこの限りではない。
【０１７９】
また、図２２及び図２４中のカラーマーカ２３はＬ字型をしているが、Ｌ字型に限らずどのような形であっても良く、色の数や構成パターンも任意のもので良いことは言うまでもない。カラーマーカ２３の形・構成パターンの一例を図３０に示す。同様に図２４中のコードマーカ２４もＬ字型構造を内包しているが、形状や使用色、色数、構成パターン等は任意である。
【０１８０】
また、ここまでの説明では、各マーカを適当数用いて説明したが、もちろん、計測データ表示画面１３の４隅全部にマーカを貼付しても良いし、一つだけでも良く、任意の数と配置で構成することが出来る。また、コードマーカ２４中に記載するデータのフォーマットも任意のものを用いて構成できることはいうまでもない。また、マーカの形も矩形もしくはＬ字型としたが、形についても必ずしもこの限りではない。
【０１８１】
次に、上述した計測機器１は、血圧計に限らず、他の生体情報を計測するバイタルセンサであってもよい。その場合、表示データ解析装置１００１は、このバイタルセンサの表示データを解析する。そうすると、病院内や家庭内等で得られる各種測定値を一元管理する際に、既存のバイタルセンサをそのまま使用しつつホストマシンにデータを従来の入力ＩＦである専用の有線や無線ＩＦ（ＲＳ２３２ＣやＩｒＤＡ等）、テンキー、キーボードなどをかいさずに入力することが可能となる。なお、計測機器１はバイタルセンサであると限定することなく、また、その場合であっても、表示データ解析装置１００１は計測機器１の表示データを解析することにも用いることができる。
【０１８２】
また、上述したホストマシンは、バイタルサインボックスであるとしてもよい。ところで、バイタルサインボックスとはバイタルセンサからの出力を収集・管理し、医師と連絡・通信をを行うものであり、ホストマシンとしても、通信端末としても働くものである。このバイタルサインボックスに、バイタルセンサの計測データを直接出力することで、使用者は手持ちのバイタルセンサをそのまま利用でき、またテンキーやキーボードといった入力手段をかいさずにバイタルサインボックスにデータを入力することが出来る。
【０１８３】
ここまでの実施の形態に共通して、マーカ認識部４０１での各種マーカの検出方法はマーカの形状・色調等に合わせて任意の方法を採用できる。例えば図３２のような、黄色と黒のＬ字型マーカの場合、マーカ認識部４０１は以下の順序で動作する。
【０１８４】
１）黄色領域を検索する
２）黄色領域がある所定の大きさ以上の面積を有するか確認する
３）黄色領域の周囲に黒領域を有するか確認する
４）検出された形状がＬ字型に類似しているか確認する
なお、ここに示したのは一例である。
【０１８５】
同様に、コードマーカ情報認識部４０２は、例えば、以下の順序で動作する。
【０１８６】
１）コード情報領域を２値化する
２）２値化した白黒情報からコード情報を読みとる
ここに示したのは一例であり、コードマーカ情報認識部４０２でのデータの解析には任意の手法が適用できることは言うまでもない。
【０１８７】
また更に、画像認識部４０３は、例えば、以下の順序で動作する。
【０１８８】
１）データ表示領域を特定する（マーカ情報がある場合はそれを利用する
コードマーカ情報がある場合はそれも利用する）
２）データ表示領域内のデータの位置を特定する（属性データがある場合はそれを利用する）
３）データ表示領域内の各データを認識する（パターンマッチング等、任意の処理を適用する）
ここで示したのは一例であり、任意の手法が適用できることは言うまでもない。
【０１８９】
また、属性記憶部４０４に記憶されている属性データは、種々の計測機器の計測データ表示画面のプロパティであるが、その情報は例えば図３３のように記述することが出来る。もちろん、属性データの記述内容や形式は任意のものを用いて構成することが出来る。
【０１９０】
以下に、図３３についての説明を記述する。
図３３では、血圧計のデータ表示画面の一例とそれについてのプロパティの設定例を示している。データ表示画面には上から
１３８、９１、７５という３つの数値（順に最高血圧・最低血圧・脈拍数を表示している数値）が表示されているとする。
【０１９１】
このような数値を認識するためのプロパティとして、液晶表示部（データ表示部）について、幾つかの定数を設定する。例ではＣ言語のプログラムに見立てて、液晶表示部ごとのプロパティをＤＩＳＰＬＡＹ構造体として幾つかの定数を定義している。
【０１９２】
0003587775.tif 000002
0003587775.tif 000003
測定装置が特定されると、測定装置に対応するＤＩＳＰＬＡＹ構造体が属性記憶部４０４からロードされる。ＤＩＳＰＬＡＹ構造体には、品番を表すｈｉｎｂａｎ［２０］、測定装置の種別（体温計／血圧計／血糖計など）を表すｃｅｎｓｏｒ＿ｔｙｐｅ、表示部の表示内容の意味（上から最高血圧、最低血圧、脈拍である、など）を表すｄｉｓｐｌａｙ＿ｔｙｐｅ、各数値と表示部の周辺部との幅（マージン）を示すｇｍ＿から始まる４つの定数、表示部に表示される文字列（数値）データの個数を示すｎ＿ｃｅｌｌｓ、各文字列（数値）データに属するｐｒｏｐｅｒｔｙを保持するｃｅｌｌ［５］、各文字列（数値）データ、すなわちｃｅｌｌの間の垂直方向のマージンを表すｍ＿ｖｃｅｌｌ［４］などが含まれる。
【０１９３】
図３３では各数値を上から順にｃｅｌｌ［０］、ｃｅｌｌ［１］、ｃｅｌｌ［２］と定義している。ｃｅｌｌの総数は各測定装置のデータ表示画面に表れる数値の数によって変化するが、この血圧計の例では最高血圧・最低血圧・脈拍数の３つである。すなわち例ではｎ＿ｃｅｌｌ  ｓ＝３である。
【０１９４】
この各ｃｅｌｌについて、ｃｅｌｌごとのｐｒｏｐｅｒｔｙを保持するのがｃｅｌｌ構造体である。ＣＥＬＬ構造体には各ｃｅｌｌの桁数を表すｎ＿ｄｉｇｉｔ、各ｃｅｌｌの整数部分を表すｎ＿ｉｄｉｇｉｔ、最大値を表すｍａｘ＿ｖａｌｕｅ、最小値を表すｍｉｎ＿ｖａｌｕｅ、各ｃｅｌｌ内の桁（ｄｉｇｉｔ）の高さ、幅を表すｈ＿ｄｉｇｉｔとｗ＿ｄｉｇｉｔ、各ｃｅｌｌ内の桁が数値以外のデータを示すかどうか（一般に液晶表示、すなわち７セグ文字の場合は７セグで数値以外のデータを示すかどうか）を表すｆ＿ｄｉｇｉｔ、各ｃｅｌｌの中の各ｄｉｇｉｔの間のマージンを表すｍ＿ｄｉｇｉｔ［４］（この場合、最大５桁なのでマージンは４つとなる）、各ｃｅｌｌの右および左マージンを表すｍ＿ｒｃｅｌｌとｍ＿ｌｃｅｌｌなどが含まれる。
【０１９５】
これらのプロパティが各々どのような幅やマージン、ｄｉｇｉｔ、ｃｅｌｌを表しているかを図３３に示している。図中イタリック（斜体）で書かれている定数がＣＥＬＬ構造体に属するプロパティで、ゴシックで書かれている定数がＤＩＳＰＬＡＹ構造体に属している。
【０１９６】
このようなプロパティを設定することにより、表示部分のデータをより容易にかつ高精度に抽出・認識することが可能となる。
【０１９７】
もちろん、構造体の定義やプロパティの構成方法は、この限りではなく任意である。
【０１９８】
以上のように、従来、専用のインタフェース機器を具備した測定機器が必要であったものが、本実施の形態の表示データ解析装置１００１により現在使用している測定機器をそのまま使用して、ホストマシンへのデータ通信が行えるようになる。また、表示部分の認識精度も一連のマーカに関する発明により非常に精度の高いものとなり、実用レベルと成り得た。
【０１９９】
また、特に高齢者を対象としたバイタルセンサボックス等ではＰＣ等のマシンに不慣れな方々が多く、本実施の形態の表示データ解析装置１００１により入力手段が非常に簡便な物となるため、実用面における効果は絶大である。
【０２００】
なお、本発明は、上述した本発明の全部又は一部の手段の全部又は一部の機能をコンピュータにより実行させるためのプログラム及び／又はデータを担持した媒体であり、コンピュータにより読み取り可能且つ、読み取られた前記プログラム及び／又はデータが前記コンピュータと協動して前記機能を実行する媒体である。
【０２０１】
また、本発明は、上述した本発明の全部又は一部の手段（ステップ）の全部又は一部の機能（動作）をコンピュータにより実行させるためのプログラム及び／又はデータである情報集合体であり、コンピュータにより読み取り可能且つ、読み取られた前記プログラム及び／又はデータが前記コンピュータと協動して前記機能（動作）を実行する情報集合体である。
【０２０２】
ここでデータとは、データ構造、データフォーマット、データの種類などを含む。
【０２０３】
媒体とは、ＲＯＭ等の記録媒体、インターネット等の伝送媒体、光・電波・音波等の伝送媒体を含む。
【０２０４】
担持した媒体とは、例えば、プログラム及び／又はデータを記録した記録媒体、やプログラム及び／又はデータを伝送する伝送媒体等をふくむ。
【０２０５】
コンピュータにより処理可能とは、例えば、ＲＯＭなどの記録媒体の場合であれば、コンピュータにより読みとり可能であることであり、伝送媒体の場合であれば、伝送対象となるプログラム及び／又はデータが伝送の結果として、コンピュータにより取り扱えることであることを含む。
【０２０６】
情報集合体とは、例えば、プログラム及び／又はデータ等のソフトウエアを含むものである。
【０２０７】
尚、以上説明した様に、本発明の構成は、ソフトウェア的に実現しても良いし、ハードウェア的に実現しても良い。
【０２０８】
【発明の効果】
以上のように本願によって開示される発明によれば、計測器と本体とを結ぶ通信のための特別なハードウェア、ソフトウェアを必要としないので、データ入力装置を低コストで実現可能である。
【０２０９】
また、計測器には特別なハードウェアを必要としないので、一般に市販されているあらゆるベンダーが提供している計測器が本発明で使用可能である。
【０２１０】
また、通信しないということは通信のためのプロトコルの標準化等の作業も必要ないということであり、データ入力装置の開発の工数が削減できる。
【０２１１】
さらに、計測器の認識のためのデータベースをメンテナンスすれば、常に最新の計測器にも対応可能であり、計測器の追加変更が容易であって、データ入力装置が陳腐化しない。
【０２１２】
また、本発明は、処理装置に対応したインタフェースを備えていない計測装置が計測し表示した計測データを、上述したインタフェースを用いず、かつ手入力をさせることなく、上述の処理装置に計測データを出力する表示データ解析装置を提供することができる。
【図面の簡単な説明】
【図１】本発明の実施の形態１による電子健康モニター端末装置を示すブロック図
【図２】本発明の実施の形態２による電子健康モニター端末装置を示すブロック図
【図３】本発明の実施の形態３による電子健康モニター端末装置を示すブロック図
【図４】本発明の実施の形態６による電子健康モニター端末装置を示すブロック図
【図５】本発明の実施の形態７による電子健康モニター端末装置を示すブロック図
【図６】本発明の実施の形態８による電子健康モニター端末装置を示すブロック図
【図７】本発明の実施の形態９による電子健康モニター端末装置を示すブロック図
【図８】本発明の実施の形態１０による電子健康モニター端末装置を示すブロック図
【図９】本発明の実施の形態１３による電子健康モニター端末装置を示すブロック図
【図１０】本発明の実施の形態１４による電子健康モニター端末装置を示すブロック図
【図１１】本発明の実施の形態１５による電子健康モニター端末装置を示すブロック図
【図１２】本発明の実施の形態１６による電子健康モニター端末装置を示すブロック図
【図１３】本発明の実施の形態１７による電子健康モニター端末装置を示すブロック図
【図１４】本発明の実施の形態２０による電子健康モニター端末装置を示すブロック図
【図１５】本発明の実施の形態２１による電子健康モニター端末装置を示すブロック図
【図１６】本発明の実施の形態２２による電子健康モニター端末装置を示すブロック図
【図１７】従来例による電子健康モニター端末装置を示すブロック図
【図１８】本発明の実施の形態の表示データ解析装置の概略構成図
【図１９】マーカが貼付された計測機器の構成図
【図２０】コーナマーカが貼付された計測機器の構成図
【図２１】Ｌマーカが貼付された計測機器の構成図
【図２２】カラーマーカが貼付された計測機器の構成図
【図２３】カラーマーカおよびコードマーカが貼付された計測機器の構成図
【図２４】カラーマーカやコードマーカを用いて、計測機器の計測データ表示画面を検出し、その計測データを解析する表示データ解析装置の概略構成図
【図２５】図１８の表示データ解析装置の画像解析装置の一つの概略構成図
【図２６】マーカ・カラーマーカ・Ｌマーカの少なくとも一つが貼付された計測機器に対応する画像解析装置の概略構成図
【図２７】図２６とは別の、コードマーカが貼付された計測機器に対応する画像解析装置の概略構成図
【図２８】図２５とは別の、図１８の表示データ解析装置の画像解析装置の一つの概略構成図
【図２９】図２４の表示データ解析装置の画像解析装置の概略構成図
【図３０】カラーマーカのいくつかの例を示す図
【図３１】コードマーカのコード部構成図
【図３２】マーカの一構成図
【図３３】属性データを説明するための図
【符号の説明】
１    計測機器
１３    計測データ表示画面
２０    マーカ
２１    コーナマーカ
２２    Ｌマーカ
２３    カラーマーカ
２４    コードマーカ
１０１〜１０６      計測器
１０７    電子健康モニター端末装置
１０８    データ収集装置
１０９    画像入力部
１１０    画像データ
１１１    画像抽出部
１１２    オブジェクトデータ
１１３    画像認識部
１１４    計測器データ
１１５    画像撮像部
１１６    データベース部
１１７    数字認識部
１１８    測定データ
１１９    アナログデータ読み取り部
１２０    画像撮像装置
１２１    切り替え器
１２２    データ収集装置
１２３    テレビ電話装置
１２４    患部撮影装置
３０１    画像入力部
３０４    画像解析装置
３０６    解析結果出力部
４０１    マーカ認識部
４０２    記号マーカ情報認識部
４０３    画像認識部
４０４    属性記憶部
１００１  表示データ解析装置
【図１】
0003587775.tif 000004
【図２】
0003587775.tif 000005
【図３】
0003587775.tif 000006
【図４】
0003587775.tif 000007
【図５】
0003587775.tif 000008
【図６】
0003587775.tif 000009
【図７】
0003587775.tif 000010
【図８】
0003587775.tif 000011
【図９】
0003587775.tif 000012
【図１０】
0003587775.tif 000013
【図１１】
0003587775.tif 000014
【図１２】
0003587775.tif 000015
【図１３】
0003587775.tif 000016
【図１４】
0003587775.tif 000017
【図１５】
0003587775.tif 000018
【図１６】
0003587775.tif 000019
【図１７】
0003587775.tif 000020
【図１８】
0003587775.tif 000021
【図１９】
0003587775.tif 000022
【図２０】
0003587775.tif 000023
【図２１】
0003587775.tif 000024
【図２２】
0003587775.tif 000025
【図２３】
0003587775.tif 000026
【図２４】
0003587775.tif 000027
【図２５】
0003587775.tif 000028
【図２６】
0003587775.tif 000029
【図２７】
0003587775.tif 000030
【図２８】
0003587775.tif 000031
【図２９】
0003587775.tif 000032
【図３０】
0003587775.tif 000033
【図３１】
0003587775.tif 000034
【図３２】
0003587775.tif 000035
【図３３】
0003587775.tif 000036